(57)【特許請求の範囲】
【請求項１】
ジョブが、ジョブごとにデータソースおよび印刷パラメータを指定することによって生成され、該ジョブが印刷キュー（６４）に入れられ、キュー内にあるジョブの印刷処理を始める前に、該ジョブの開始条件が検査され、該開始条件が満たされている場合にのみ印刷が開始される、プリンタ（１０）において、印刷ジョブ（７６、７８、８０）のキュー（６４）を管理する方法であって、
プリンタ（１０）を「処理続行」モードまたは「順序維持」モードのいずれかに設定するステップと、
プリンタ（１０）が「処理続行」モードまたは「順序維持」モードのどちらであるかを指示するモード標識の状態を検査するステップと、キュー（６４）内にある開始条件を満たしていないジョブ（８０）がキューの先頭にきたとき、
プリンタが「処理続行」モードであれば、該ジョブの印刷処理を後まわしにし、開始条件を満たしている次のジョブがもしあれば該ジョブの処理を続行するステップ、あるいは、
プリンタが「順序維持」モードであれば、印刷処理を停止するステップと、
印刷キュー（６４）内にあるジョブの印刷パラメータに基づいて、印刷処理が停止するまでの予測時間を計算するステップ、および該予測時間を表示するステップと、
を備える方法。
【請求項２】
印刷キュー（６４）内にあるジョブが、開始条件を満たしていないことが検出された場合、印刷処理が開始条件を満たしていない該ジョブにまわってくるまでは、印刷キュー内のジョブの順序が、変更されずにそのままにしておかれる請求項１に記載の方法。
【請求項３】
印刷キュー（６４）が、操作卓（１４）の画面（５０）上に表示され、開始条件を満たしていないジョブが、印刷キューにおいて、印をつけられる請求項１または２に記載の方法。
【請求項４】
少なくとも、開始条件を満たしていないジョブの存在によって印刷処理に影響を受けることのない印刷キュー内のジョブのそれぞれに対して、終了までの時間が計算され表示される請求項１から３のいずれか一項に記載の方法。
【請求項５】
開始条件を満たすために必要な処置が、印刷キュー内にある開始条件を満たしていないジョブごとに表示される請求項１から４のいずれか一項に記載の方法。
【請求項６】
印刷キュー（６４）内のジョブをテーブルの形式で表わすステップを備え、該テーブルは、印刷キュー内のジョブごとに、該ジョブを印刷するのに必要となるプリンタ（１０）のいくつかの設備を示し、これらの設備は、コピーシートが供給される少なくとも２つのトレイ（２８、３０、３２）を含む請求項１から５のいずれか一項に記載の方法。
【請求項７】
キューからジョブを選択し、削除し、保留状態にし、および／または、印刷キューの先頭へ移動することによって、印刷キュー（６４）を編集するステップを備えた請求項１から６のいずれか一項に記載の方法。
【請求項８】
印刷ジョブの印刷が完了するたびに、次に実行しようとする印刷ジョブに停止フラグ（９２）が設定されているかどうかを検査するステップ、および、設定されていれば該次に実行しようとする印刷ジョブの印刷処理を停止するステップを備えた請求項１から７のいずれか一項に記載の方法。
【請求項９】
複数の予めプログラムされた印刷ジョブ（７６、７８、８０）を次々に処理することのできるプリンタ（１０）であって、請求項１から８のいずれかに記載の方法が、該プリンタで実行され「処理続行」モードかまたは「順序維持」モードを選択するためのモードセレクタ（５８）を備える、プリンタ。
【発明の詳細な説明】
【技術分野】
【０００１】
本発明は、プリンタにおいて印刷ジョブのキューを管理する方法に関し、ジョブは、ジョブごとにデータソースおよび印刷パラメータを指定することによって生成され、そのジョブが、印刷キューに入れられ、キュー内にあるジョブの印刷処理を始める前に、そのジョブの開始条件が検査され、その開始条件が満たされている場合にのみ、印刷が開始される。
【０００２】
より詳細には、本発明は、高生産性プリンタに関し、このプリンタにおいては、プリンタがより早くプログラムされたジョブの印刷のために使用中であっても、複数のジョブを予めプログラムすることができ、それによって、理想的には、プリンタの動作を中断することなく、ジョブを次から次に印刷することができる。ここで使用される「プリンタ」という用語は、画像のハードコピーを生成することのできるあらゆる種類の画像複製装置を意味し、したがって、例えば、複写機も包含する。
【背景技術】
【０００３】
印刷されるべき画像が、例えば、複写機のスキャン部分のような１つしかないデータソースを介してしか入力できない場合には、当然ながら、データソースは、明示的に指定されなくてもよく、例えば、そのジョブのために指定されたコピー用紙の種類および用紙規格、複製倍率、コピー部数などの印刷パラメータとともにスキャンコマンドを入力することによって、ただ１つしかないデータソースが暗黙的に指定されたと解釈される。
【０００４】
例えば、あるジョブに対して指定された印刷パラメータが、複写機に現在装填されていない用紙規格または品質を有する用紙にそのコピーを印刷することが要求される場合には、いわゆる開始矛盾が発生し、それは、このジョブの開始条件が満たされていないことを意味し、オペレータが、必要な種類の用紙を複写機に装填するまでは、ジョブを処理することができない。より一般的には、開始矛盾は、そのジョブの開始条件を満たすために、オペレータの介入が必要とされることを意味する。
【０００５】
ＤＥ−Ａ４１０７０００は、前提部に記載された方法を実行するプリンタを開示しており、開始条件を満たしていないジョブは、自動的にスキップされ、プリンタは、キュー内でそのあとに続きかつ開始条件を満たしている次のジョブの処理を続行する。さらに、オペレータに警告するために、警報信号が出力される。この方法は、開始条件が満たされていないジョブの存在が生産プロセスの中断をたらすとは限らないという利点を有する。その代わりに、複写機は、開始条件を満たしているジョブがキューの中に存在する限りは、動作し続ける。これは、残されているジョブに対しても開始条件を満たすために、より多くの介入時間をオペレータに与えることになる。
【０００６】
また他方においては、この方法は、キュー内にあるジョブの元々の順序が乱され、そのために、印刷されたジョブが複写機から出力される順序が、オペレータによってジョブが生成された順序と異なるという欠点を有する。オペレータは、ジョブが入力されたのと同じ順序で印刷されたジョブを受け取りたいと一般には考えられるので、この方法は、印刷されたジョブのその後の処理および／または引き渡しにおいて間違いまたは不便をもたらすことがある。
【０００７】
ＥＰ−Ａ−０４６９８６５は、ジョブを人手でソートすることによってかまたはそれらのジョブを自動的にソートさせることによって、オペレータが印刷キュー内のジョブの順序を変更することもできるプリンタを開示している。自動ソートにおいては、いくつかのソート基準の中の１つで、複写機の現在の状態において開始条件が満たされているジョブが、オペレータの介入を必要とするジョブよりも高い優先順位で処理されるように規定しうる。そのようなソートルーチンが呼び出されると、これは、ジョブが生成された元々の順序を必然的に台無しにする。
【０００８】
ＥＰ−Ａ−０７２００８６は、開始条件が満たされているかどうかを判定する基準をユーザが設定することのできるプリンタを開示している。したがって、ユーザは、例えば、印刷パラメータによって規定されたコピー用紙の色とプリンタに現在装填されているコピー用紙の色との不一致が開始矛盾をもたらさないことを指定することもできる。これは、生産プロセスを中断することなく、ジョブが元々の順序で印刷されるという効果を有するが、正しくない色を有する用紙にコピーが印刷されるかもしれない。
【発明の概要】
【発明が解決しようとする課題】
【０００９】
本発明の目的は、プリンタおよび前提部に記載される印刷キューを管理する方法を提供することであり、それらは、オペレータが生産プロセスを制御するのを改善することによって、高い生産性で印刷するのを可能にする。
【課題を解決するための手段】
【００１０】
本発明によれば、この目的は、プリンタが、「処理続行」モードまたは「順序維持」モードのどちらであるかを指示するモード標識の状態を検査し、そして、キュー内にある開始条件を満たしていないジョブが、キューの先頭にきたとき、プリンタが、「処理続行」モードであれば、このジョブの印刷処理を後まわしにし、開始条件を満たしている次のジョブがもしあればそのジョブの処理を続行し、あるいは、プリンタが、「順序維持」モードであれば、印刷処理を停止する、ステップを備える、前提部に記載された方法によって達成される。
【００１１】
したがって、本発明は、「処理続行」モードおよび「順序維持」モードと呼ばれる予め定義された２つの動作モードからいずれかをオペレータに選択させる。オペレータが、「処理続行」モードを選択すれば、生産プロセスが中断される可能性は、最小限に抑えられるが、開始矛盾がある場合には、ジョブが処理される順序が、変更されるであろう。また他方において、オペレータが、「順序維持」モードを選択すれば、オペレータは、印刷されたジョブがそれらが入力されたのと同じ順序で出力されることを確信できるが、オペレータが、生産プロセスが中断されるのを回避したければ、オペレータは、開始矛盾が発生した場合に介入する準備ができていなければならない。
【００１２】
ここでは、開始矛盾は、生産性の高い複写機においては、きわめて日常的に発生する出来事であることに注意されたい。複写機は、限られた数の異なる種類のコピー用紙およびその他の消耗品のための貯蔵装置しか持たないので、限られた数の異なるジョブ仕様をサポートするようにしか同時には構成することができない。例えば、複写機が、異なる種類のコピー用紙を収容するための３つの貯蔵トレイを有するのに、５つの異なる種類の用紙が、印刷キュー内にあるジョブのために指定されると、印刷ジョブの少なくとも１つに対して、開始矛盾が、必然的に発生する。
【００１３】
これが、複写機を管理し、かつ、複写機を動作させつづけるために、必要に応じて、複写機の様々な消耗品を詰め替えることを主な仕事とするオペレータが、なぜ、通常、存在するかの理由である。また他方においては、複写機を放置して、オペレータが、何か他の作業をしているかなり長い時間が存在することもある。この場合に、オペレータが、複写機の近くにいて、そのために、オペレータが、必要なときに介入する準備ができていれば、オペレータは、複写機を「順序維持」モードで動作させるほうがよい。しかしながら、オペレータが、しばらくの間、複写機から離れたい場合、また、とくに、オペレータが、複写機に必要なものを与える時間に遅れずに戻るかどうかわからない場合、複写機を「処理続行」モードに切り替えるオプションをもっていることは、きわめて都合がよい。
【００１４】
本発明のより具体的な任意選択の特徴が、従属クレームに記載されている。
【００１５】
「処理続行」モードにおいては、開始矛盾が存在するすべてのジョブをキューの最後に移すことによって、印刷キューを変更することができる。しかしながら、キュー内にあるジョブの順序を変更せずにそのままにしておき、そして、ただ単に、開始矛盾が存在するジョブをスキップすることによって、開始矛盾に対処することが望ましいと考えられる。したがって、オペレータが、開始矛盾を取り除く時間にたまたま遅れずに戻れば、オペレータは、複写機を切り替えて「順序維持」モードに戻すことができ、そして、オペレータは、印刷されたジョブがそれらが生成された順序で出力される作用をうまく利用することができる。もちろん、「処理続行」モードにおいて、印刷キュー内にあるジョブの順序を一時的に変更し、しかも、元々の順序を記憶しておき、複写機を切り替えて「順序維持」モードに戻したときに設定しなおすことによって、同じ結果を得ることもできる。
【００１６】
オペレータが、印刷ジョブが処理される順序をそれ以上に制御できるようにするために、印刷キューを編集またはソートするための編集機能を提供することが望ましい。そのような編集機能は、例えば、コマンド「先頭へ移動」を備え、そのコマンドによって、選択された印刷ジョブが、キューの先頭に移される。そして、そのような編集操作の結果は、複写機が「処理続行」モードまたは「順序維持」モードのいずれかに切り替えられても維持される。
【００１７】
そのような編集機能によって、オペレータは、必要な詰め替え操作をそのオペレータがもっとも効率的に実行できる順序に、すなわち、印刷生産を中断することなく、あるいは、最小限の中断回数で実行できる順序に印刷ジョブを並べ替えることができる。
【００１８】
このために、オペレータが、特定のジョブが完了した後に、印刷処理を意図的に中断するのを可能にするオプションを提供することは有益なことである。これは、印刷キュー内にあるその特定のジョブを選択してコマンド「これの後で停止」を入力することによってなされてもよく、このコマンドは、そのジョブの最後のコピーが印刷されてしまった後に、印刷を停止するように複写機に命令する。
【００１９】
もう１つの有益なオプションは、選択された印刷ジョブを保留状態にするためのコマンドである。このようにして、ジョブが、保留状態にされると、これは、ジョブ処理に対して、開始矛盾と同様の作用を有する。すなわち、「順序維持」モードにおいて、このジョブが、キューの先頭にくると、複写機は、印刷を停止し、「処理続行」モードにおいて、このジョブが、先頭にくると、複写機は、このジョブをスキップする。
【００２０】
オペレータを仕事面でさらに支援するために、予測積算処理時間、すなわち、プリンタが停止するまでに要する時間を表示することが望ましい。「処理続行」モードにおいては、これは、開始条件を満たしているすべてのジョブを印刷するのに要する積算時間である。「順序維持」モードにおいては、これは、開始矛盾のある最初のジョブがキューの先頭にくるまでの時間である。
【００２１】
とりわけ好ましい実施形態においては、印刷キューが、モニタ画面またはそれに類似する表示装置上に表示される。キュー内にあるそれぞれのジョブは、ジョブを識別する小さなウィンドウによって、シンボルとして表現され、また、そのウィンドウは、ジョブの現在の状態、原稿のページ数、印刷されるコピーの部数、そして、終了までの予測時間のようなその他の関連情報を含む。ジョブを表現するウィンドウは、印刷キュー内のジョブの順序に対応する順序で表示され、開始矛盾が存在するジョブ、あるいは、保留状態にされているジョブは、強調表示される。コマンド「これの後で停止」が、特定のジョブに入力されていれば、これは、キュー内でそのジョブとそれに続くジョブとの間に姿をあらわす停止フラグによって、シンボルで表現されてもよい。
【００２２】
好ましくは、印刷キューを表現するジョブリストは、様々なジョブに関するより詳細な情報、とりわけ、そのジョブを印刷するのに必要な消耗品に関する情報を提供するテーブルに拡張されてもよい。
【００２３】
ここで、本発明の好ましい実施形態を添付の図面に関連して説明する。
【図面の簡単な説明】
【００２４】
【図１】本発明が適用されるプリンタのブロック構成図である。
【図２】本発明による方法を実施するルーチンのフローチャートである。
【図３】図１に示されるプリンタの操作卓の画面上に表示されるあるスクリーン画像を示す図である。
【図４】図１に示されるプリンタの操作卓の画面上に表示される別のスクリーン画像を示す図である。
【図５】図１に示されるプリンタの操作卓の画面上に表示されるさらに別のスクリーン画像を示す図である。
【図６】図１に示されるプリンタの操作卓の画面上に表示されるまた別のスクリーン画像を示す図である。
【発明を実施するための形態】
【００２５】
図１に示される例においては、高生産性プリンタ１０およびスキャナ１２は、別個のユニットとして配置されているが、中央複製部（ＣＲＤ）内で物理的にお互いに近接している。プリンタ１０およびスキャナ１２は、一緒に、同じＣＲＤ内に配置された操作卓１４から操作される。
【００２６】
組み合わせて複写機／プリンタを構成するスキャナ１２およびプリンタ１０は、お互いに直接に接続され、さらに、ディスク記憶装置のような大容量記憶装置１６に接続され、その記憶装置１６は、また、ネットワーク１８を介してアクセスすることができ、その記憶装置１６内には、印刷されるべき画像データおよびテキストデータを記憶することができる。記憶装置１６は、すぐに印刷することのできない画像データのためのいわゆる「メールボックス」領域を含む。スキャナ１２によってスキャンされた画像は、プリンタ１０へ直接に送られてもよく、あるいは、その後に印刷するために、記憶装置１６の「ローカルメールボックス」領域に一時的に保存されてもよい。同様に、ネットワーク１８を介して受信された印刷ファイルは、プリンタキューへ直接に転送されてもよく、あるいは、操作卓１４の制御に基づいて、その後に印刷するために、記憶装置１６の「ネットワークメールボックス」領域に保存されてもよい。
【００２７】
スキャナ１２は、ガラスプラテンおよび自動原稿フィーダ２２を有し、それによって、フィーダ２２に挿入された何枚かの片面かまたは両面のシートからなる原稿を自動的にスキャンすることができる。さらに、フィーダ２２を持ち上げた後、人手によって、スキャンされるべき原稿をガラスプラテン２０上に載置することもできる。
【００２８】
プリンタ１０は、プリントエンジン２４と、種々の印刷ジョブごとに指定された印刷パラメータに基づいて、とじ、穴あけ、または、製本などの様々な仕上げ処理を、印刷されたコピーシートのスタックに施すフィニッシャ２６とを備える。プリンタ１０は、さらに、異なる用紙規格および／または品質のコピーシートを収容するために、３つのトレイ２８、３０、および、３２を有する。図示された例においては、トレイ３２は、その他の２つのトレイ２８および３０よりも大きな収容能力を有する。この技術分野では一般に良く知られているように、それぞれのトレイは、その中に現在収容されているシートの用紙規格を自動的に検出するためのセンサを有する。コピーシートの「品質」は、透過原稿のような紙ではない材料も含めて、色、用紙重量、および、材料が異なっていてもよい。
【００２９】
操作卓１４は、モニタ３４およびキーボード３６を備える。この技術分野では良く知られているように、キーボード３６は、開始キー３８、キャンセルキー４０、停止キー４２、および、テンキー４４を含む。さらに、メールボックスまたはスキャナ１２からファイルをインポートして、そのファイルを現在の印刷ジョブに追加するのに使用されるインポートキー４６が提供される。ヘルプキー４８は、オンラインヘルプを呼び出す役割をなし、そして、そのオンラインヘルプが、モニタ３４上に表示される。
【００３０】
モニタ３４は、例えばＬＣＤによって構成される大きな表示領域を備えた表示画面５０を有し、さらに、画面５０を取り囲む枠上に配置されたいくつかのキーを有する。これらのキーは、以下で説明するジョブマネージャを呼び出すためのキー５２、および、３つのグループをなすソフトキー５４、５６、および、５８からなり、それらのソフトキー５４、５６、および、５８は、画面５０の上端、右端、および、下端の近傍に配置され、それらの機能は、画面５０上に表示された内容によって決まる。キークロス６０は、この技術分野で良く知られているように、拡大縮小率などの数値をインクリメントまたはデクリメントするのに使用されてもよく、あるいは、画面５０上のカーソルを移動するのに使用されてもよく、また、選択されたオブジェクトを起動するのに使用されてもよい。一組の矢印キー６２が、画面５０の左端の近傍に配置され、画面５０の左余白に、すなわち、ジョブマネージャキー５２の真下にジョブリストとして表示された印刷キュー６４からジョブを選択する役割をなす。
【００３１】
図１に示されるように、画面５０上の画像は、プリンタの状態をオペレータが監視することのできる標準画面であり、必要であれば、オペレータは、その標準画面から、新しい印刷ジョブを生成して開始してもよい。このスクリーン画像は、テキストメッセージを表示することのできるメッセージウィンドウ６６と、オペレータの介入に必要と考えられるあらゆるものを一覧表として表示する表示領域６８とを含む。
【００３２】
表示領域６８の右部分には、３つのトレイ２８、３０、および、３２内の利用できるコピーシートの量が、シンボルで表示され、様々なトレイの中味が、示される。図示される例において、第１のトレイ２８および大きな第３のトレイ３２には、Ａ４規格の白い用紙が装填されており、８０ｇ／ｍ２の用紙重量を有し、それに対して、第２のトレイ３０には、Ａ４の透過原稿が装填されている。さらに、トレイ３０からのＡ４透過原稿の供給は、まさに底をつきそうであることがわかる。このトレイが実際に空になれば、表示領域内のそれに対応するシンボルが、赤に変わり、オペレータは、このトレイに補充するように警告される。同様に、表示領域６８の左部分にある３つのシンボルは、トナーを補充しなければならないとき、あるいは、フィニッシャ２６内に提供された第１または第２のとじ金マガジンに補充しなければならないときに点灯する。表示領域６８左下の隅にある棒グラフ７０は、スキャナ１２から受け取った画像データがプリンタ１０によってプリントアウトされる前にそれらが一時的に保存されるディスク記憶装置のディスク容量を示す。
【００３３】
表示領域６８の下には、いくつかのジョブテンプレート７２が示されており、そのそれぞれは、ソフトキー５８の１つに対応している。ジョブテンプレート７２は、予め定義された印刷パラメータの組を表し、それらの組は、実際に、頻繁に使用されるものである。印刷テンプレートのそれぞれは、名前および適切なシンボルによって識別されるが、これは、図面には示されていない。これによって、オペレータは、所望のジョブテンプレート７２に対応するソフトキー５８を押すことによって、新しいプリントショップに対応する一組の標準パラメータを簡単に指定することができる。図示された例においては、最も右側の位置にあるジョブテンプレートは、「最後に使用」という名前を有し、これは、このテンプレートが選択されると、以前に定義されたジョブに対して指定された印刷パラメータが、生成されるべき新しいジョブのために取り込まれることを意味する。
【００３４】
ジョブテンプレートが選択されると、そこに指定された印刷パラメータは、以下で説明するように、編集されてもよい。
【００３５】
画面５０の右余白にあるウィンドウ７４は、ソフトキー５６の機能を指定するのに使用される。これらの機能は、とりわけ、パラメータ設定に関連して特定のオプションを呼び出すのに使用されてもよい。
【００３６】
印刷キュー６４において、それぞれのジョブは、小さな長方形のウィンドウ７６、７８、または、８０によって表され、それによって、ジョブが、識別される。ジョブが、標準的に処理される順序は、印刷キュー６４において、上から下に処理されるような順序である。キュー内の先頭のジョブに対応するウィンドウ７６は、拡大された高さを有し、それは、このジョブが、アクティブであること、すなわち、現在印刷中であることを示している。ウィンドウ７６のより大きな面積によって、アクティブジョブに関するより詳細な情報を示すことができる。より小さなウィンドウ７８は、印刷キュー内で待っているジョブに関連する。
【００３７】
図示される例においては、ウィンドウ８０は、例えば、橙色のような異なる色を有する。これは、現在の条件下においては、対応するジョブが、すぐ前のジョブが完了しても処理されないことを示している。その理由は、このジョブが、オペレータによって人手で保留状態にされているからか、あるいは、例えば、トレイ２８、３０、３２のどれにもこのジョブに対して指定された種類の用紙が装填されていないために、開始矛盾が存在するからかもしれない。開始矛盾のさらなる例は、コピーを２つのとじ金でとじなければならないことがこのジョブに対して指定されており、そのために、フィニッシャ２６の両方のステープラが、起動されなければならないのに、それらのステープラの一方において、とじ金を使い果たしていることである。一般には、開始矛盾は、ここでは、指定された印刷パラメータに基づいてジョブを印刷する条件の少なくとも１つが満たされていないことが、ジョブの印刷処理が開始される前に、検出され、しかし、オペレータの適切な介入によってそれらの条件のすべてを満たすことができる状態として定義される。
【００３８】
これとは対照的に、パラメータの設定そのものが矛盾する場合、「指定矛盾」が存在する。これは、例えば、複式（両面）コピーが指定され、かつ、透過原稿が記録シートとして選択されるような場合である。そのような矛盾は、パラメータ設定を変更することによって取り除くしかない。また他方において、ジョブの印刷処理が、すでに開始しているのに、例えば、複写機がコピー用紙を使い果たしたために、あるいは、その他の何らかの理由のために、それを完了することができない場合、「実行時矛盾」が発生する。この種の矛盾は、オペレータの介入によって取り除くことができるが、ここでは、「開始矛盾」と同じようには取り扱われない。
【００３９】
開始矛盾は、新しい印刷ジョブが生成された瞬間に発生することがあり、また、そのときにすでに検出されていることもある。このジョブが、印刷キュー内の先頭のジョブではない場合、すぐ前のジョブが、印刷されてもよく、開始矛盾は、新しいジョブの印刷処理が始まる前に、オペレータの介入によって取り除かれてもよい。また他方において、オペレータの介入が、それ以前に存在しなかった開始矛盾を発生させるかもしれない。これは、例えば、オペレータが、より早く印刷されるべき一方のジョブに必要な用紙を挿入するために、他方のジョブに必要な種類の用紙を除去するような場合である。そのような開始条件が、検出されるとすぐに、これは、印刷キュー６４内の対応するウィンドウ８０の色を変更することによって指示される。特定の環境下においては、プリンタ１０が、適切なセンサを備えている場合、実行時矛盾が発生することを予測できるかもしれない。例えば、関係のあるトレイ２８、３０、または、３２内にまだあるコピーシートの枚数を十分正確に検出できれば、ジョブの印刷処理が始まる前に、コピー用紙の量がジョブを完了するには不十分であることを予測することができる。この状態は、同様に、「開始矛盾」として取り扱われてもよい。
【００４０】
図１に示される状態を考えると、印刷キュー６４内にある第５のジョブ（色つきウィンドウ８０によって表されるジョブ）に関する開始矛盾を取り除くために、たとえオペレータが介入しなくても、プリンタは、開始条件が満たされている最初の４つの印刷ジョブの印刷処理を続行する。第５のジョブに関する開始矛盾は、最初の４つのジョブの印刷処理が完了したときに問題を発生させるだけである。本発明によれば、プリンタは、「処理続行」モードかまたは「順序維持」モードで動作することができ、開始矛盾を有するジョブがキューの先頭にきたときのプリンタの動作は、図２に関連して説明するように、現在設定されている動作モードによって決まる。
【００４１】
図２は、アクティブなジョブが印刷されているときに繰り返し実行されるデシジョンルーチンのフローチャートである。ステップＳ１において、現在のジョブが完了したかどうかが検査される。より具体的には、ここでは、このジョブのための最後のコピーシートが、関係するトレイから取り出されたかどうかが検査される。まさにこのとき、それに続くジョブの印刷処理を開始すべきかどうかを決定する必要がある。なぜなら、それに続くジョブの最初のシートが、次のマシンサイクルにおいて取り出されなければならないからである。
【００４２】
現在のジョブが、まだ完了していなければ（Ｎ）、その検査によって肯定的な結果が得られるまで（Ｙ）、ルーチンは、逆戻りして、同じステップＳ１を反復する。そして、ステップＳ２において、次のジョブが、印刷キュー内に存在するかどうかが検査される。もし存在しなければ（Ｎ）、ステップＳ３において、印刷処理は停止する。もし存在すれば（Ｙ）、ステップＳ４において、次のジョブの開始条件が満たされていないことを示すフラグが存在するかどうかが検査される。これは、そのジョブが、開始矛盾を有しておらず、かつ、保留状態にされてもいない場合に限られたことである。フラグは、例えば、ジョブが定義されたときに、設定されていてもよく、あるいは、プリンタの状態の変化に応じて、設定されていてもよい。開始条件が満たされていれば（Ｙ）、ステップＳ５において、次のジョブの印刷処理が、開始される。それと同時に、完了したばかりの前のジョブが、印刷キュー６４から取り除かれ、その他のジョブが、上へシフトされ、その結果、現在処理されているジョブが、リストの先頭に位置し、大きなウィンドウ７６によって表される。
【００４３】
ステップＳ４において、否定的な結果であれば（Ｎ）、ステップＳ６において、複写機が「処理続行」モードかどうかが検査される。もし「処理続行」モードでなければ（Ｎ）、これは、複写機が「順序維持」モードであることを意味し、ステップＳ３において、印刷処理が停止される。この場合にも、前のジョブが、印刷キューから取り除かれ、開始条件が満たされていないジョブが、リストの先頭へ移され、拡大されたウィンドウによって表される。しかしながら、このウィンドウは、オペレータが開始条件を満たすまではこのジョブの印刷は開始しないことを指示するために、依然として、色がついたままである。さらに、オペレータは、光および／または音響による警報信号によって、警告されてもよい。オペレータが、開始条件を満たすための必要な処置を行い、開始キー３８を押すと、印刷処理が再開される。したがって、このモードにおいては、ジョブが、印刷キュー６４に現れた通りの順序で印刷されることが保証される。
【００４４】
ステップＳ６において、複写機が「処理続行」モードであることがわかれば（Ｙ）、ルーチンは、ステップＳ２に逆戻りし、そして、そこで、さらに別のジョブが印刷キュー内にあるかどうかが検査される。そして、ステップＳ４およびそれに続くステップが、上述したように実行される。その結果として、開始条件が満たされていないジョブは、スキップされ、開始条件が満たされている少なくとも１つのその他のジョブが、印刷キュー内にあれば、そのジョブが、アクティブになり、リストの先頭に移され、印刷処理は、中断されることなく続行される。
【００４５】
したがって、このモードにおいては、開始条件が満たされたジョブがリスト内に依然として存在する限り、複写機の生産性が損なわれることはない。最終的に、印刷キュー６４が、開始条件が満たされないジョブだけから構成されると、プリンタ１０は、停止する。そして、これらのジョブは、オペレータが適切な処置を行った後に、印刷される。その結果、印刷されたコピーがフィニッシャ２６から排出される順序は、印刷キュー６４が設定されていた順序と一致しない。
【００４６】
ここで、新しい印刷ジョブを生成し、それを印刷キューに追加するための手順をきわめて詳細に説明する。わかりやすくするために、印刷データは、スキャナ１２によって読み込まれ、コピーは、プリンタ１０によってすぐに印刷されるものと仮定する。オペレータは、例えば３枚の片面シートからなる原稿を自動原稿フィーダ２２に挿入する。原稿の存在は、フィーダ２２によって自動的に検出され、これは、自動的に、原稿フィーダ２２をデータソースとみなすようにシステムに命令する。そして、オペレータは、対応するソフトキー５８（図１）を押すことによって、適切な「コピージョブ」テンプレートを選択する。そして、画面５０は、例えば、図３に示されるような外観となるかもしれない。
【００４７】
５つのソフトキー５８の近傍にあるジョブテンプレート７２が表示されていた画面５０の領域は、ここでは、基本的な印刷パラメータを指定するために、５つのメニュー「原稿」、「印刷」、「とじ金」、「用紙」、および、「ズーム」を示す。それぞれのメニューは、予め定められたパラメータをポイントするカーソル８２を有する。図示される例においては、片面原稿が、メニュー「原稿」内で選択されている（厳密に言えば、このパラメータは、プリンタよりもむしろスキャナに関係するが、それでも、印刷パラメータとみなされるべきである）。画面５０の上部において、「原稿」という名称を有するウィンドウは、原稿シートの表側と裏側を表側を上にして重ね合わせたシンボルによる表現を示す。裏側に何も書かれていないということは、原稿が片面原稿であることを示す。
【００４８】
メニュー「印刷」において、コピーもまた片面コピーであることが指定される。また、これは、「印刷」という名称を有するウィンドウ内にグラフィックスとして示される。
【００４９】
メニュー「とじ金」は、コピーが、２つのとじ金でとじられることを指定する。また、とじ金８４は、印刷をグラフィックスとして表現するためのウィンドウ内にも示される。さらに、このウィンドウは、作成されるコピーの部数を示し、この場合、その部数は、１２５である。この数は、テンキー４４によって入力される。
【００５０】
メニュー「用紙」は、３つのトレイ２８、３０、３２のシンボルを示し、それらの実際の中味を指示する。「Ａ４  黄」のような付加的なメニューポイントが、現在は複写機に装填されていないその他の用紙種類を指示する。
【００５１】
メニュー「ズーム」によって、自動モードおよび数値（例えば、１００％）のいずれかを拡大縮小率として選択することができる。図示される例においては、自動モードが、選択されており、それは、拡大縮小率が、スキャナ１２によって検出される原稿の用紙規格と、メニュー「用紙」において、印刷されるコピーに対して指定された用紙規格とに基づいて自動的に決定されることを意味する。
【００５２】
１つのメニュー内の設定を変更するには、そのメニューが、対応するソフトキー５８を押すことによって選択される。そして、このメニューが、アクティブになり、ソフトキー５６を繰り返し押すことによって、対応するカーソル８２を移動させることができる。別の実施形態においては、キークロス６０の上矢印キーおよび下矢印キーによって、アクティブメニューのカーソル８２を移動させてもよい。設定が変更されると、ウィンドウ「原稿」およびウィンドウ「印刷」内のグラフィック表現が、それに合わせて動的に更新される。
【００５３】
図３に示されるような基本的な設定のための５つのメニューに加えて、より詳細な設定のための拡張メニューを呼び出すために、ソフトキー５６の中から適切なものを押すことによって、コマンド８６を選択することができる。例えば、コマンド８６の１つは、その他の用紙種類、すなわち、用紙規格、色、および／または、材料を指定するのに使用されてもよい。そして、そのようにして指定された用紙種類は、ここで、用紙種類「Ａ４  黄」がうつされているように、図３に示されるメニュー「用紙」の中へ移される。
【００５４】
図３において、メニュー「ズーム」内のキークロス６０からなる画像によってシンボルで表現されているので、カーソル８２が、数値へ移動されると、キークロス６０の矢印キーを押すことによって、例えば１％単位で数値を変更することができる。
【００５５】
すでに述べたように、印刷キュー６４が、画面５０の左余白に示される。図３においては、印刷キュー６４内にある様々なジョブのために表示されるデータが、例示されている。まず最初に、先頭のジョブすなわちアクティブジョブに対するウィンドウ７６を参照することによって、これらのデータの意味を説明する。
【００５６】
この場合には、単にシリアル番号（１）からなるジョブ名は、ウィンドウ７６の左上の隅に示される。オプションとして、さらに、ジョブの所有者が、示されてもよい。ウィンドウの次の行にある項目「５  ４／１０４」は、原稿が、５ページからなり、印刷されるべき部数は、１０４であり、そして、合計１０４部の完成原稿のうち４部が、すでに印刷されたことを示す。したがって、まだ、１００部が、印刷されなければならない。それぞれのコピーは、５ページからなるので、このジョブのために印刷されるべきページ数は、５００である。プリンタ１０の印刷速度が毎分１００ページ印刷できると仮定すれば、これは、このジョブが、全部を印刷するまでには、まだ、５分かかることを意味する。この予測時間いわゆる「終了までの時間」は、ウィンドウ７６の左上の隅に示される。
【００５７】
ウィンドウ７６の下部にある項目は、ジョブの現在の状態すなわち「印刷中」を示す。これは、原稿が読み込まれて印刷がすでに開始していることを意味する。しかしながら、「４／１０４」という語に含まれる数値「４」は、取り出された枚数を示すのではなく、フィニッシャ２６によってすでに排出された部数を示す。
【００５８】
印刷キュー内で待っているその他のジョブに対するより小さなウィンドウ７８は、詳細な状態情報を除いて、本質的に、同じ情報を含む。これらのすべてのジョブ、すなわち、図示される例においてシリアル番号２、３、および、４を有するジョブは、すでに完全に読み込まれているが、印刷処理は、まだ開始していない。これが、ウィンドウ７８内の第２行目が、原稿のページ数（ジョブ番号２の場合には１）および印刷されるべき合計部数（１００）しか示していない理由である。スラッシュの前にある印刷済みの部数を示す数値は、０であり、これが、「０」およびスラッシュが、省略されている理由である。
【００５９】
「終了までの時間」は、いかなる場合にも、積算された時間、すなわち、そのジョブ自身に要する時間に、先行するジョブに対して示された「終了までの時間」を加算したものである。例えば、ジョブ番号２は、１ページの原稿からなり、１００部は、１分の印刷時間を要する。したがって、「終了までの時間」は、１分に、ジョブ番号１に必要な５分を加算したもの、すなわち、６分である。ジョブ３およびジョブ４に対して示される「終了までの時間」が、同じように計算される。
【００６０】
ソフトキー５８の１つを押すことは、それによって、ジョブテンプレート７２が呼び出されたが、複写機は、それを新しいジョブを生成することの要求であると解釈する。このジョブは、新しい大きなウィンドウ８８によって表現され、そのウィンドウ８８は、印刷キュー６４の最後に追加される。図３に示されるように、シリアル番号５が、自動的に、このジョブに割り当てられている。新しいジョブはアクティブであるので、ウィンドウ８８は大きい。「アクティブ」という状態は、印刷されているジョブだけでなく、スキャンされつつあるジョブにもあてはまる。ジョブ番号５が、定義されており、また、スキャン処理は、開始したばかりである。したがって、原稿のページ数は、まだ不明であり、ウィンドウ８８内に表示することができない。合計部数（１２５）だけは、すでに指定されている。メニュー「用紙」において、トレイの中の１つで現在利用することのできない用紙の種類が、選択されているので、ジョブ番号５には、開始矛盾が存在する。これが、ウィンドウ８８に色がついている理由であり、アラームアイコン９０が、左上の隅に表示される。
【００６１】
ジョブ番号５に対する印刷パラメータが、希望する通りに指定されてしまえば、開始キー３８が、押され、それが、このジョブのためのスキャン手順を開始する。画面５０の外観が、図１に示される標準画面に戻る。新しいジョブに対するウィンドウ８８は、印刷キュー６４にそのまま残り、原稿がスキャンされている間は、状態情報「スキャン中．．．」を表示する。読み込まれるジョブと、そのジョブに対して指定された印刷パラメータとの間のはっきりした関係を維持するために、先行するジョブのスキャンが完了するまでは、新しいジョブテンプレートを選択してそれに対して印刷パラメータを入力することはできない。
【００６２】
ジョブ番号５が完全にスキャンされてしまえば、ウィンドウ８８は、大きさを縮小されるが、開始矛盾が取り除かれない限り、色つきのままである。そして、上述した手順を反復することによって、新しいジョブを印刷キュー６４に追加することができる。
【００６３】
図１に示されるように、「システムマネージャ」と呼ばれる機能が、ソフトキー５４の左のキーを押すことによって、呼び出されてもよい。これの結果が、図４に示される。ジョブテンプレート７２の代わりに、ここでは、３つのメニュー「自動印刷」、「処理」、および、「新しい印刷ジョブ」が、表示される。これらのメニューから設定を選択する手順は、図３に関連して説明したものに類似する。本発明に関連して最も重要なものは、メニュー「処理」であり、これは、オペレータが、動作モードを「順序維持」および「処理続行」のいずれかに切り替えるのを可能にする。図示される例においては、モード「順序維持」が選択されており、これは、ジョブ番号４が完了するとすぐに、プリンタ１０が停止することを意味する。
【００６４】
図４に示される印刷キュー６４は、図３に示される例に対応しているが、１分経過した後の状態を表している。したがって、ジョブ１から４が終了する時間は、すべて、１分だけ減少しており、ジョブ番号１の完了した部数は、２４に増加している。
【００６５】
その間に、オペレータも、また、シリアル番号６および７を有する２つの新しいジョブを生成している。ジョブ番号６が、開始矛盾を有するのに対して、ジョブ番号７は、すべての開始条件を満たしている。それにもかかわらず、ジョブ番号７は、印刷されることはない。なぜなら、複写機は、「順序維持」モードにあるからである。
【００６６】
もちろん、例えば、ジョブ５および６に対する開始矛盾がいつかは取り除かれるという仮定に基づいて、ジョブ番号７に対する「終了までの時間」を計算することができるが、終了までの予測時間は、正確なものではない。図示される例においては、終了までの時間は、ジョブ７に対しては示されていない。また、これは、さらに、複写機が「順序維持」モードにあることの指示とみなされてもよく、それによって、オペレータは、動作モードを確認するために、システムマネージャに問い合わせなくてもよい。複写機が「処理続行」モードにあれば、ジョブ番号７に対する「終了までの時間」が、ジョブ５および６を考慮に入れずに、計算され、そして、表示される。
【００６７】
さらに、その他のメニュー「自動印刷」および「新しい印刷ジョブ」は、システム内のワークフローに関係し、以下の意味を有する。
【００６８】
図１に関連して説明したように、ネットワーク１８を介して、印刷ジョブを記憶装置１６のメールボックス領域へ送ることができる。ネットワーク１８を介して送られたデータは、そのジョブに対する印刷パラメータが指定されたジョブチケットを含んでもよい。そして、メニュー「新しい印刷ジョブ」において、モード「キューへ」が選択されていれば、ネットワーク１８を介して送られたジョブは、自動的に、印刷キュー６４の最後に追加される。そして、メニュー「自動印刷」において、モード「続行」が選択されていれば、ネットワークを介して受信されたジョブは、その他のすべてのジョブが完了した後、自動的に印刷される。しかしながら、オペレータによって生成されたジョブは、いかなる場合にも、自動印刷として送られたジョブに優先する。モード「停止」が選択されていれば、ジョブは、印刷キューに追加されるが、オペレータが人手でそれらを「通常」印刷ジョブとして印刷キューに入れるまでは、印刷されない。
【００６９】
逆に、メニュー「新しい印刷ジョブ」は、スキャナ１２によって読み込まれたジョブが直接に印刷されるべきか（「キューへ」）、それとも、すぐに印刷されずに、メールボックス内に保存されるべきか（「メールボックスへ」）の問題に関係する。
【００７０】
システムマネージャを終了して、図１に示される基本画面に戻るために、オペレータは、もう一度、ソフトキー５４を押してもよい。
【００７１】
図１に示されるジョブマネージャキー５２を押すことによって、画面５０の外観が、図５に示されるように変化する。印刷キュー６４を表現するジョブリストが、キュー内のそれぞれのジョブに必要な消耗品の種類に関する一覧表を示すテーブルに拡張されている。このテーブルは、用紙トレイ２８、３０、３２ごとに１つの縦列、とじ金を必要とすることを示すもう１つの縦列、最後に、メッセージの縦列を有する。図示される例においては、ジョブ１および２は、第１のトレイ２８から、コピーシートを供給されるか、あるいは、供給されることになり、ジョブ番号３は、第２のトレイ３０からシートを供給されることになり、ジョブ番号４および７は、大きな下段トレイ３２からシートを供給されることになる。さらに、テーブルは、２つのステープラの一方が、ジョブ番号４に必要であり、それに対して、両方のステープラが、ジョブ番号５に必要であることを示している。メッセージの縦列は、ジョブ５および６に対しての開始矛盾の理由を示している。この場合、その理由は、必要とされる種類の用紙が複写機にないことである。
【００７２】
オペレータが、ジョブ番号５およびジョブ番号６に必要なシート（黄および緑のそれぞれ）を供給したい場合、オペレータは、それらのシートをどのトレイに載置すべきかを決定しなければならない。図５に示されるテーブルから、オペレータは、黄または緑のシートを下段トレイ３２に入れるのは賢明でないことをひと目で知ることができる。なぜなら、白の用紙を現在装填されているこのトレイは、ジョブ番号７において、白の用紙が再び必要となるからである。他方、２つの上段トレイ２８および３０は、ジョブ番号３が完了してしまえば、使用されない状態になる。したがって、トレイ２８および３０内に黄および緑のシートを載置するのが合理的である。
【００７３】
新しいジョブが生成されると、複写機は、そのジョブに対する印刷パラメータ内に指定されている用紙の種類に基づいて、用紙トレイの１つをそのジョブに自動的に割り当てる。このために、複写機は、どのトレイにはどの種類の用紙が装填されているかを「知る」ことが必要である。オペレータが、トレイの１つに異なる種類の用紙を装填するとき、新しい用紙の種類が、入力されなければならない。このために、オペレータは、図１に示される画面内にあるソフトキー５４の右側のキーを押すことによって、「用紙マネージャ」と呼ばれる機能を呼び出すことができる。どの種類の用紙を装填しなければならないかが、ジョブ仕様からわかれば、オペレータは、必要な種類の用紙がすでに挿入されているかを確認するだけでよい。より精緻な実施形態においては、必要な用紙を現在利用できないジョブ（図示された例においてはジョブ５および６）に用紙トレイを割り当てるためのアルゴリズムが、提供され、適切なシートをそれらのトレイに装填するようにオペレータに命令してもよい。
【００７４】
図５にさらに示されるように、ジョブマネージャは、さらに、いくつかの機能、すなわち、「これの後で停止」、「削除」、「先頭へ移動」、および、「保留」を提供し、これらは、ソフトキー５８の１つを押すことによって、呼び出すことができる。これらの機能は、印刷キュー内にあるジョブの選択されたものに作用する（しかしながら、キューの先頭にあるアクティブジョブには作用しない）。
【００７５】
新しいジョブが生成されると、このジョブが、自動的に選択される。ジョブの選択は、図１に示される矢印キー６２によって、変えることができる。選択されたジョブは、印刷キュー６４内の対応するウィンドウを強調表示することによって示される。
【００７６】
印刷キューがきわめて長く、そのために、ジョブリストが画面５０に納まらない場合にも、矢印キー６２が、ジョブリストをスクロールするのに使用されてもよい。しかしながら、先頭のアクティブジョブだけでなくキュー内の最後のジョブ（通常、生成されたばかりのジョブ）も常に見ることができることは都合がよいので、非アクティブジョブに対応するウィンドウ７８および８０を重ね合わせるようにして、例えば、先頭のジョブと、およびその下にあるジョブそれぞれの左余白および下余白とだけを見えた状態にしておくスタックとして、表示することによって、ジョブリストを縮約することは好ましいことである。そして、そのスタック内のジョブの１つが、矢印キー６２を使用することによって選択されると、選択されたジョブが完全に見えるようにするため、そのスタックが拡大される。それと同時に、キューのその他の部分は、縮約されてもよい。
【００７７】
ここで、ジョブマネージャによって提供される機能を詳細に説明する。
【００７８】
機能「これの後で停止」は、この機能が適用される選択されたジョブが完了するとすぐに印刷するのを停止するようにプリンタがプログラムされるという作用を有する。図示される例においては、この機能は、ジョブ番号３に対して起動され、これは、ジョブ番号３とジョブ番号４との間に存在するバー状の停止フラグ９２によって示される。印刷キューには多くても１つの停止フラグしか設定することができない。別のジョブを選択した後にキーを押すと、停止フラグは、そのジョブの真下の位置へ移動する。
【００７９】
機能「これの後で停止」は、図１に示される停止キー４２の機能となんらかの類似点を有する。しかしながら、それらの相違点は、停止フラグ９２が、印刷キュー内で待っているいかなるジョブにも作用するのに対して、停止キー４２は、アクティブジョブすなわち現在印刷中のジョブにだけ作用することである。停止キー４２を１回押すことは、現在のジョブが完了した後に、プリンタが停止するという作用を有する。停止キー４２を２回押すことは、印刷処理が、即座に、すなわち、次のシートが印刷されたらすぐに打ち切られるという作用を有する。機能「これの後で停止」の利点は、適切な時点で停止するように複写機を予めプログラムできることである。複写機が停止する時間は、停止フラグ９２の真上にあるジョブに対する「終了までの時間」によって示される。
【００８０】
機能「削除」は、選択されたジョブが印刷キューから除去され、そして、印刷されないという作用を有する。ジョブが、スキャナ１２によって読み込まれたとしても、これは、通常、スキャンされたデータがなくなることを意味する。しかしながら、オプションとして、複写機は、削除されたジョブのデータを記憶装置１６に保存するように構成されてもよい。
【００８１】
機能「先頭へ移動」は、印刷キュー６４内にあるジョブの順序を自発的に変更する機会をオペレータに提供する。この機能の作用は、選択されたジョブが印刷キューの先頭に移されることである。より正確には、ジョブは、印刷処理がすでに開始している１つかまたは複数のジョブ、すなわち、図示された例におけるアクティブジョブ１のすぐ後ろに挿入される。
【００８２】
しかしながら、ある状況によっては、「印刷中」の状態にある１つよりも多いジョブが存在するかもしれないことに注意されたい。例えば、先頭のジョブの最後のシートが、フィニッシャ２６からちょうど排出されているときに、きわめて短い次のジョブのシートが、プリントエンジン２４で処理され、そして、さらに別のジョブの最初のシートが、トレイ２８から３２の１つからすでに取り出されていてもよく、そのために、状態「印刷中」は、印刷キュー内の最初の３つのジョブにあてはまる。そして、機能「先頭へ移動」が起動されたジョブは、４番目の位置に、すなわち、３つのアクティブジョブの後に挿入される。
【００８３】
テーブルに拡張された印刷キュー６４に関連して、図５に示されるように、機能「先頭へ移動」は、要求される消耗品を供給するのに必要な介入の回数が少なくなるように、ジョブの順序を並べ替えるのにとくに役立つ。例えば、図５に示される状態において、さらなるジョブ番号８が生成され、そのジョブが赤い用紙（第１のトレイ２８に現在収容されている用紙、図４参照）に印刷されなければならない場合、このジョブ番号８をジョブ１とジョブ２との間の位置へ移動させるためには、機能「先頭へ移動」を使用することが役に立ち、それによって、赤い用紙を必要とするすべてのジョブが、次々に印刷され、その後に、第１の用紙トレイは、別の種類の用紙に使用されてもよい。
【００８４】
機能「保留」は、選択されたジョブを保留状態にするという作用を有する。これは、そのジョブが、開始矛盾が存在するジョブと同じように、取り扱われることを意味する。そして、複写機の動作は、この場合もまた、それの動作モードによって決定される。「処理続行」モードにおいては、保留状態にされたジョブは、スキップされ、それに対して、「順序維持」モードにおいては、プリンタは、このジョブが先頭にくると停止する。機能「保留」に対応するキーを同一ジョブに対して２回押すことは、そのジョブが、もとの状態に解放され、印刷キュー内で待っている通常のジョブとして取り扱われるという作用を有する。
【００８５】
最後に、これもまたシステムマネージャ画面を示している図６は、動作モード「処理続行」の作用を説明する。図６は、図４に示される状態から約１５分後の状態を示し、このときには、複写機は、その間に、「処理続行」モードに切り替えられている。図６に示されるように、ジョブ１から４は、すでに印刷されてしまっており、ジョブリストから姿を消している。ジョブ５および６は、開始矛盾のために印刷することができず、ジョブ番号７は、ジョブ５および６を「飛び越え」ており、現在、アクティブである。ジョブ番号７は、きわめて長いので、オペレータは、ジョブ５および６に対する開始矛盾を取り除くのに、まだ、さらに１８分を有している。これらの開始矛盾が取り除かれなければ、かつ、開始矛盾のない新しいジョブが印刷キューに追加されなければ、複写機は、ジョブ番号７を処理した後に停止する。
【符号の説明】
【００８６】
１０  プリンタ
１２  スキャナ
１４  操作卓
１６  大容量記憶装置
１８  ネットワーク
２０  ガラスプラテン
２２  原稿フィーダ
２４  プリントエンジン
２６  フィニッシャ
２８、３０、３２  トレイ
３４  モニタ
３６  キーボード
３８  開始キー
４０  キャンセルキー
４２  停止キー
４４  テンキー
４６  インポートキー
４８  ヘルプキー
５０  表示画面
５２  ジョブマネージャキー
５４、５６、５８  ソフトキー
６０  キークロス
６２  矢印キー
６４  印刷キュー
６６  メッセージウィンドウ
６８  表示領域
７０  棒グラフ
７２  テンプレート
７４、７６、７８、８０  ウィンドウ
【図１】
0004773534.tif 000002
【図２】
0004773534.tif 000003
【図３】
0004773534.tif 000004
【図４】
0004773534.tif 000005
【図５】
0004773534.tif 000006
【図６】
0004773534.tif 000007